(57)【要約】【課題】包装袋の信頼性を向上させる。【解決手段】包装袋１は、開口９をもつ袋状の外装体２と、所定方向に延在する複数の切れ込み部３１が千鳥状に設けられたシート状の内装材３０が、所定方向と交差する方向に伸長可能な状態又は予め伸長した状態で外装体２に内装された緩衝部３と、を備え、物品を包装する。緩衝部３は、物品と外装体２との間で複数枚の内装材２０が厚み方向に重ねられた多層部３Ａを少なくとも一部に有する。【選択図】図１
2022002968.tif 000002
【特許請求の範囲】
【請求項１】
開口をもつ袋状の外装体と、所定方向に延在する複数の切れ込み部が千鳥状に設けられたシート状の内装材が、前記所定方向と交差する方向に伸長可能な状態又は予め伸長した状態で前記外装体に内装された緩衝部と、を備え、物品を包装する包装袋であって、
前記緩衝部は、前記物品と前記外装体との間で複数枚の前記内装材が厚み方向に重ねられた多層部を少なくとも一部に有する
ことを特徴とする包装袋。
【請求項２】
前記緩衝部は、全体に前記多層部を有する
ことを特徴とする請求項１に記載の包装袋。
【請求項３】
前記緩衝部は、前記一部を除く他部に前記物品と前記外装体との間で一枚の前記内装材が配置された単層部を有する
ことを特徴とする請求項１に記載の包装袋。
【請求項４】
前記多層部で重ねられた複数枚の前記内装材は、前記所定方向が互いに異なる向きに設定された
ことを特徴とする請求項１〜３のいずれか一項に記載の包装袋。
【請求項５】
前記多層部で重ねられた複数枚の前記内装材は、前記所定方向が互いに同じ向きに設定された
ことを特徴とする請求項１〜３のいずれか一項に記載の包装袋。
【請求項６】
前記外装体は、前記開口の一側に配置された第一端縁部を有する第一面部と、前記開口の他側に配置された第二端縁部を有するとともに前記第一面部と対向する第二面部と、を備え、
前記緩衝部は、前記所定方向が前記物品の挿抜方向と交差する姿勢で前記第一端縁部と前記第二端縁部との間に懸架された
ことを特徴とする請求項１〜５のいずれか一項に記載の包装袋。
【発明の詳細な説明】
【技術分野】
【０００１】
本発明は、物品を包装する袋に関する。
【背景技術】
【０００２】
緩衝材の一つとして、直線状に延びる複数の切れ込み部が千鳥状に設けられたシートが知られている。このシートは、その延在平面において切れ込み部の延びる方向に対して直交する方向に伸長させると、切れ込み部に対応する目が蜂の巣状に開く（このことから「ハニーペーパー」とも称される）。これにより、このシートは、厚み方向の寸法が増大して緩衝代の形成されたマット状に変化する（機能に着目して「クッションペーパー」とも称される）。このようなシートが緩衝部として内装された包装具も提案されている（特許文献１参照）。
【先行技術文献】
【特許文献】
【０００３】
【特許文献１】特開2016-34852号公報
【発明の概要】
【発明が解決しようとする課題】
【０００４】
上記のような緩衝部が袋状の外装体に内装された包装袋において、物品の保護性を確保して包装袋としての信頼性を高められることが求められている。
本件は、上記のような課題に鑑みて創案されたものであり、包装袋の信頼性を向上させることを目的の一つとする。なお、この目的に限らず、後述する「発明を実施するための形態」に示す各構成から導き出される作用及び効果であって、従来の技術では得られない作用及び効果を奏することも、本件の他の目的として位置付けることができる。
【課題を解決するための手段】
【０００５】
ここで開示する包装袋は、開口をもつ袋状の外装体と、所定方向に延在する複数の切れ込み部が千鳥状に設けられたシート状の内装材が、前記所定方向と交差する方向に伸長可能な状態又は予め伸長した状態で前記外装体に内装された緩衝部と、を備え、物品を包装する。前記緩衝部は、前記物品と前記外装体との間で複数枚の前記内装材が厚み方向に重ねられた多層部を少なくとも一部に有する。
【発明の効果】
【０００６】
本件によれば、包装袋の信頼性を向上させられる。
【図面の簡単な説明】
【０００７】
【図１】未使用時の実施形態に係る包装袋を示す斜視図である。
【図２】図１の縦断面図である。
【図３】使用時の実施形態に係る包装袋を示す縦断面図である。
【図４】未伸長状態の緩衝部の要部を拡大して示す平面図である。
【図５】伸長状態の緩衝部の要部を拡大して示す斜視図である。
【図６】第一変形例に係る包装袋を示す縦断面図である。
【図７】第二変形例に係る包装袋を示す縦断面図である。
【図８】第三変形例に係る包装袋を示す縦断面図である。
【図９】第四変形例に係る包装袋を示す縦断面図である。
【図１０】緩衝部の多層部で重ねられる内装材の変形例を示す斜視図である。
【発明を実施するための形態】
【０００８】
図面を参照して、実施形態としての包装袋について説明する。なお、以下に示す実施形態はあくまでも例示に過ぎず、下記の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【０００９】
包装袋とは、物品を包装する袋である。本実施形態では、包装される物品を保護する緩衝部が本体袋に設けられた包装袋を説明する。この包装袋を構成する本体袋（外装体）及び緩衝部（内装体）は、クラフト紙、上質紙、中質紙、薄葉紙、グラシン紙、アート紙、コート紙、キャストコート紙、インクジェット記録紙、クルパック紙、ライナー、白板紙などの紙や板紙、これらの紙の片面あるいは両面にポリエチレン樹脂などの熱可塑性樹脂をラミネートしたラミネート紙、スパンボンドやスパンレースなどの不織布、合成紙やフィルムなどのプラスチックシートなどのシート材から形成できる。特にクラフト紙やクルパック紙を用いることが好ましい。なお、紙や板紙は、耐水性を高めるために、その表面や内部に耐水化剤や紙力増強剤などを、また、表面に撥水剤やサイズ剤などを配合していてもよい。
本体袋及び緩衝部は、紙（板紙を含む）あるいは樹脂といった同一の材料から形成されることが好ましい。ただし、本体袋及び緩衝部を互いに異なる材料から形成してもよい。
【００１０】
以下の説明では、重力の作用方向を下方とするとともにこの反対方向を上方とし、開口が上向きに配置された状態の包装袋について述べる。また、この包装袋の上下方向を長さ方向とし、正面視で長さ方向と直交する方向を幅方向とし、長さ方向及び幅方向の双方に直交する方向を厚み方向とする。さらに、この包装袋で物品が収容される内部空間側を内側とし、この反対側を外側とする。
【００１１】
［１．構成］
図１及び図２に示すように、包装袋１は、開口９をもつ袋状の本体袋２と、本体袋２に内装された緩衝部３とを備えている。また、包装袋１は、本体袋２から突設されて開口９を覆う外フラップ４と、封緘された状態（封緘状態）で外フラップ４よりも内側に配置されて物品を開口９側から覆う内フラップ５とを更に備えていてもよい。
包装袋１では、上向きの開口９を通じて物品が挿抜される。したがって、本実施形態の包装袋１における物品の挿抜方向は、長さ方向と一致する。
【００１２】
〔本体袋〕
まず、本体袋２について説明する。ここでは、本体袋２としてマチ無しの角形封筒を例示する。ただし、本体袋２は、ここで例示するものに限定されず、マチ有りであってもよいし、長形封筒や洋形封筒あるいは規格外の封筒であってもよい。
本体袋２は、外袋（外側材）１０に内袋（内側材）２０が内装された二重構造をなしてもよい。すなわち、本体袋２は、大きさの異なる二つの袋１０，２０が重ね合わされて構成されてもよい。なお、外袋１０及び内袋２０はいずれも袋状であり、外袋１０が内袋２０を内装可能となるように内袋２０よりも一回り大きく形成されている。本体袋２を二重構造にすることで、本体袋２の強度を高められる。
【００１３】
外袋１０は、厚み方向において互いに対向する第一外面部１１及び第二外面部１２を備えている。第一外面部１１及び第二外面部１２は、下端部（底部）１５と幅方向の両端部（側端部）１６とにおいて互いに連設されている。マチ有りの本体袋２においては、第一外面部１１及び第二外面部１２が、図示しないマチ部を介して互いに連設される。
第一外面部１１の上端縁部１３は、開口９の一側（図１では右上側）に配置される。また、第二外面部１２の上端縁部１４は、開口９の他側（図１では左下側）に配置される。
【００１４】
内袋２０は、外袋１０と同様に構成される。具体的には図２に示すように、内袋２０は、第一外面部１１及び第二外面部１２とそれぞれ同様に構成された第一内面部（第一面部）２１及び第二内面部（第二面部）２２を備えている。第一内面部２１及び第二内面部２２も、下端部と幅方向の両端部とにおいて互いに連設されている。マチ有りの本体袋２においては、第一内面部２１及び第二内面部２２が、図示しないマチ部を介して互いに連設される。
第一内面部２１の上端縁部（第一端縁部）２３は、開口９の一側（図２では右側）であって第一外面部１１の内側に配置される。また、第二内面部２２の上端縁部（第二端縁部）２４は、開口９の他側（図２では左側）であって第二外面部１２の内側に配置される。
【００１５】
本実施形態の内袋２０は、外袋１０に貼り付けられている。ここでは、下端部（底部）において外袋１０に貼り付けられた内袋２０を例示する。なお、内袋２０は、外袋１０に対して、全域で貼り付けられていてもよいし、部分的に貼り付けられていてもよい。
本体袋２では、第一外面部１１と第一内面部２１とが厚み方向に重ね合わされて一体化されているとともに、第二外面部１２と第二内面部２２とも厚み方向に重ね合わされて一体化されている。このため、以下の説明では、第一外面部１１及び第一内面部２１をまとめて本体袋２の第一面部１１，２１ともいい、第二外面部１２及び第二内面部２２をまとめて本体袋２の第二面部１２，２２ともいう。
本体袋２において、第一面部１１，２１の上端縁部１３，２３と第二面部１２，２２の上端縁部１４，２４とは、開口９を区画形成する。
【００１６】
〔緩衝部〕
つぎに、包装袋１の緩衝部３を説明する。
図１に示すように、緩衝部３は、所定方向（第一所定方向）に延在する複数の切れ込み部（第一切れ込み部）３１が千鳥状に設けられたシート状の内装材（第一内装材）３０から構成される緩衝材であり、ハニーペーパーやクッションペーパーなどとも称される。
緩衝部３をなす内装材３０は、切れ込み部３１の延在する所定方向と交差する方向（以下、単に交差方向ともいう）に引っ張られた場合に、切れ込み部３１に対応する目が開くことで交差方向に伸長する。
【００１７】
緩衝部３は、本体袋２の内側の面に取り付けられる。本体袋２が二重構造をなす場合は、緩衝部３が本体袋２の内袋２０に取り付けられる。ここでは、接着剤や粘着剤を介して内袋２０に貼り付けられた緩衝部３を例示する。
緩衝部３は、内装材３０が交差方向に伸長可能な状態又は予め伸長した状態で本体袋２に内装されたものである。本実施形態では、本体袋２の第一面部１１，２１と第二面部１２，２２との間に架け渡された内装材３０が交差方向に伸長可能な状態で設けられた緩衝部３を例示する。
【００１８】
図２に示すように、緩衝部３は、切れ込み部３１の延びる所定方向が包装袋１の幅方向に沿う姿勢で、第一内面部２１の上端縁部２３と第二内面部２２の上端縁部２４との間に懸架されている。すなわち、緩衝部３は、所定方向が物品の挿抜方向と交差する姿勢で、本体袋２における第一面部１１，２１の上端縁部１３，２３と第二面部１２，２２の上端縁部１４，２４との間に懸架されている。そして、このように懸架された緩衝部３は、第一内面部２１の上端縁部２３と第二内面部２２の上端縁部２４との各々に貼り付けられている。
【００１９】
本実施形態の緩衝部３は、包装する物品と本体袋２との間で複数枚の内装材３０が厚み方向に重ねられた多層部３Ａを全体に有する。換言すると、本実施形態では緩衝部３の全体が多層部３Ａである。ここでは、多層部３Ａで二枚の内装材３０が重ねられており、これらの内装材３０の所定方向が互いに同じ向き（本実施形態では幅方向）に設定された緩衝部３を例示する。
緩衝部３を二重（多重）構造とすることで、緩衝性をより高められる。
【００２０】
緩衝部３をなす内装材３０は、下方に向けて凸のＶ字状となるように二つ折りにされている。緩衝部３では、上記のように二つ折りにされた内装材３０の二つの上端部である貼付端部３３，３４が、第一内面部２１及び第二内面部２２の上端縁部２３，２４にそれぞれ貼り付けられ、貼付端部３３，３４の間で吊り下げられた本体部３５が何れの部位にも貼り付けられずに配置される。なお、多層部３Ａにおいて重ねられた二枚の内装材３０は、貼付端部３３，３４で互いに貼り合わせられている。
以下、緩衝部３の二つの貼付端部３３，３４のうち、第一内面部２１の上端縁部２３に貼り付けられた一方を第一貼付端部３３ともいい、第二内面部２２の上端縁部２４に貼り付けられた他方を第二貼付端部３４ともいう。
【００２１】
切れ込み部３１は、少なくとも本体部３５に設けられる。図３に示すように、本体部３５は、開口９から包装袋１に入れられた物品８が載せられることで、物品８の重量によって長さ方向に伸長する。つまり、緩衝部３は、物品８が入れられる前（未使用時）の包装袋１では伸長していない状態（未伸長状態）であり、物品８が入れられた後（使用時）の包装袋１では長さ方向に伸長した状態（伸長状態）となる。なお、緩衝部３は、伸長状態となっても本体袋２の下端部と接触しないように構成される。
【００２２】
図４に示すように、未伸長状態の本体部３５では、複数の切れ込み部３１が所定方向（本実施形態では幅方向）に沿って断続的に並設されており、所定方向に隣接する切れ込み部３１どうしの間には、切り込まれていない非切れ込み部３２が設けられている。切れ込み部３１の所定方向の寸法Ｌ１は、非切れ込み部３２の所定方向の寸法Ｌ２よりも大きく設定される（Ｌ１＞Ｌ２）。
【００２３】
ここで、切れ込み部３１及び非切れ込み部３２が所定方向に沿って交互に並ぶ一行の配置を第一パターンＰ１とする。また、第一パターンＰ１の切れ込み部３１及び非切れ込み部３２とは半ピッチずれた切れ込み部３１′及び非切れ込み部３２′が所定方向に沿って交互に並ぶ他行の配置を第二パターンＰ２とする。これらの第一パターンＰ１及び第二パターンＰ２は、所定方向と直交する方向（本実施形態では長さ方向）において交互に並設される。
【００２４】
このような切れ込み部３１，３１′及び非切れ込み部３２，３２′が設けられた内装材３０は、切れ込み部３１，３１′に対応した形状の刃部（カッタ）が外周に設けられたロータリダイカッタによって、切れ込まれていないシート材を回転しながら切り込むことで製造される。または、切れ込み部３１，３１′に対応した形状の刃部が設けられた平板ダイカッタによって、切り込まれていないシート材をプレスしながら切り込むことで、内装材３０が製造される。
【００２５】
図５に示すように、伸長状態の本体部３５では、切れ込み部３１の周囲の片部３６が厚み方向に立ち上がることで立体状の緩衝セル３７が形成される。このように、伸長状態の本体部３５では、一つの切れ込み部３１に対し、その周囲の片部３６が立ち上がることで一つの緩衝セル３７が出現する。
したがって、緩衝部３は、本体部３５が図２に示すような未伸長状態である場合にはシート状をなすのに対し、本体部３５が図３に示すような伸長状態である場合にはシート状よりも厚みが増したマット状をなす。マット状の緩衝部３には、緩衝用の変形代（緩衝代）が設けられることから緩衝性が確保される。なお、交差方向に伸長することでシート状からマット状に変化した緩衝部３は、復元力で僅かに復元する（片部３６の立ち上がりが戻る）ことはあっても、基本的には再びシート状となることはない。
【００２６】
ここで図２を参照し、本体袋２をなす外袋１０及び内袋２０と、緩衝部３をなす内装材３０との関係について詳述する。
上記のとおり、本実施形態の内袋２０は、第一内面部２１及び第二内面部２２の各上端縁部２３，２４において緩衝部３に貼り付けられているとともに、各上端縁部２３，２４よりも下方に位置する下端部において外袋１０に貼り付けられている。すなわち、内袋２０は、外袋１０への貼付位置が下端部であるのに対し、緩衝部３への貼付位置が第一内面部２１及び第二内面部２２の各上端縁部２３，２４である。したがって、内袋２０は、厚み方向視において、外袋１０に対する貼付位置と緩衝部３に対する貼付位置とが異なっている。
【００２７】
〔外フラップ〕
図１〜３に示すように、外フラップ４は、本体袋２の第一面部１１，２１から上方へ突設される。ここでは、第一外面部１１から上方へ突設された外フラップ４を例示する。外フラップ４は、第一外面部１１の上端縁部１３と連設されている。
外フラップ４は、本体袋２の第一面部１１，２１から第二面部１２，２２側へと折り返され、本体袋２の第二面部１２，２２よりも外側に配置されて開口９を覆う。包装袋１は、このように開口９を覆う外フラップ４が本体袋２の外側の面（本実施形態では第二外面部１２）に固定されることにより封緘状態となる。なお、内フラップ５が設けられた包装袋１の封緘状態では、外フラップ４が内フラップ５よりも外側に配置される。
【００２８】
〔内フラップ〕
必要に応じて設けられる内フラップ５は、所定方向（第二所定方向）に延在する複数の切れ込み部５１（第二切れ込み部）が千鳥状に設けられたシート状の内装材（第二内装材）５０で構成された緩衝材であってもよい。このような緩衝材である内フラップ５をなす内装材５０は、緩衝部３をなす内装材３０と同様に構成されており、ハニーペーパーやクッションペーパーなどとも称される。内装材５０は、切れ込み部５１の延在する所定方向と交差する交差方向に引っ張られた場合に、切れ込み部５１に対応する目が開くことで伸長する。
【００２９】
図１〜３に示す内フラップ５は、一枚のシート状の内装材５０が交差方向（第二所定方向と交差する方向）に伸長可能な状態予め伸長した状態で設けられたものである。本実施形態では、緩衝部３から揺動自在に突設された未伸長状態の内装材５０が交差方向に伸長可能な状態で設けられた内フラップ５を例示する。
このように未伸長状態で設けられた内装材５０は、例えばユーザによって交差方向に引っ張られることで伸長状態となる。これにより、内フラップ５は、シート状からマット状に変形する。マット状の内フラップ５には、マット状の緩衝部３と同様に、緩衝用の変形代（緩衝代）が設けられることから緩衝性が確保される。
【００３０】
本実施形態の内フラップ５は、緩衝部３と連設されている。すなわち、内フラップ５と緩衝部３とは、一体であって互いに連続している（離間していない）。ここでは、緩衝部３において厚み方向に重なる複数の内装材３０のうち、最も外側に配置された内装材３０と内フラップ５とが単一の部材で形成された例を示す。
内フラップ５は、緩衝部３と同様に、切れ込み部５１の延びる所定方向が包装袋１の幅方向に沿う（所定方向が物品の挿抜方向と交差する）姿勢で設けられている。ただし、緩衝部３の切れ込み部３１が延びる所定方向と、内フラップ５の切れ込み部５１が延びる所定方向とは、包装袋１の幅方向と交差していてもよいし、互いに異なっていてもよい。なお、包装袋１に設けられる内フラップ５の個数は特に限定されないが、ここでは一つの内フラップ５が設けられた包装袋１を示す。
【００３１】
本実施形態の内フラップ５は、本体袋２における第一面部１１，２１の上端縁部１３，２３と第二面部１２，２２の上端縁部１４，２４とのうち、外フラップ４が突設された一方とは反対側の他方に貼り付けられた対向フラップ５Ｃである。対向フラップ５Ｃは、緩衝部３の第二貼付端部３４から突設されている。このように、本実施形態では、第一外面部１１の上端縁部１３から突設された外フラップ４に対し、対向フラップ５Ｃである内フラップ５が第二内面部２２の上端縁部２４に貼り付けられている。
【００３２】
図３に示すように、内フラップ５は、包装袋１の封緘前に交差方向に伸長させられる。これによりマット状に変形した内フラップ５は、緩衝部３から本体袋２の第一面部１１，２１側へと折り返され、緩衝部３の第一貼付端部３３の内側に配置されて物品８を上側（開口９側）から覆う。内フラップ５は、包装袋１の封緘状態では、物品８と外フラップ４との間に配置され、物品８の上側の緩衝機能を担う。
なお、必要に応じて設けられる内フラップ５は、外フラップ４よりも内側で物品８を開口９側から覆う構造であれば特に限定されない。内フラップ５は、本体袋２の第二面部１２，２２の上端縁部１４，２４に繋がっていてもよいし、緩衝部３の第一貼付端部３３に繋がっていてもよい。
【００３３】
［２．作用及び効果］
（１）緩衝部３は、物品８と本体袋２との間で複数枚の内装材３０が厚み方向に重ねられた多層部３Ａを少なくとも一部に有するため、多層部３Ａを有しない場合と比べて、少なくとも一部で緩衝性を高められる。これにより、緩衝部３の一部に荷重が集中するような場合であっても、緩衝部３が耐えられることから物品８の保護性を向上させられる。よって、包装袋１の信頼性を高められる。
【００３４】
（２）緩衝部３がその全体に多層部３Ａを有するため、緩衝部３の全体において緩衝性を高められる。これにより、物品８の保護性が緩衝部３の全体で向上することから、包装袋１の信頼性をより高められる。
【００３５】
（３）多層部３Ａで重ねられた複数枚の内装材３０は所定方向が互いに同じ向きに設定されているため、これらの内装材３０を一体的に交差方向に引っ張ることで多層部３Ａを一斉に伸長させることが可能となる。よって、シート状の緩衝部３を伸長させてマット状に変形させる作業が容易となる。
したがって、内装材３０が交差方向に伸長可能な状態で設けられる緩衝部３を備えた包装袋１の使用性を高められる。また、内装材３０が交差方向に予め伸長した状態で設けられる緩衝部３を備えた包装袋１の製造容易性を高められる。
【００３６】
（４）緩衝部３は、所定方向が物品８の挿抜方向と交差する姿勢で第一内面部２１の上端縁部２３と第二内面部２２の上端縁部２４との間に懸架されているため、内装材３０が包装袋１への物品８の挿入に伴って伸長可能となる。よって、物品８の挿入前（包装袋１の使用前）には内装材３０がシート状をなすことで包装袋１の厚みを抑制できるとともに、物品８の挿入後（包装袋１の使用時）には内装材３０が伸長してマット状をなすことで緩衝部３の緩衝性を確保できる。
【００３７】
［３．変形例］
以下、包装袋の変形例について説明する。変形例の説明では、上記の実施形態や他の変形例で説明した要素と同一又は対応する要素に同一の符号を付し、重複する説明を省略する。
【００３８】
［３−１．第一変形例］
図６に示すように、第一変形例に係る包装袋１Ａは、上記の実施形態に係る包装袋１に対し、緩衝部３′の内装材３０が交差方向に予め伸長した状態で本体袋２に内装されている点と、内フラップ５′が緩衝部３′とは別の部材で形成されている点とが異なる。
本変形例の緩衝部３′は、包装袋１Ａの製造過程で内装材３０が交差方向に引っ張られたうえで本体袋２に取り付けられたものである。緩衝部３′は、包装袋１Ａの使用時だけでなく使用前にもマット状をなす。
【００３９】
ここでは、第一内面部２１のほぼ全域と第二内面部２２のほぼ全域とのそれぞれに重ね合わされた緩衝部３′を例示する。緩衝部３′は、その全体に多層部３Ａを有する。なお、緩衝部３′は、伸長状態をより適切に維持するために、貼付端部３３，３４に加えて下端部３８も内袋２０に取り付けられていてもよい。
本変形例の緩衝部３′は、上記のとおり内装材３０が予め伸長した状態で設けられることから、切れ込み部３１の延在する所定方向が物品の挿抜方向と交差する姿勢で設けられなくてもよい。例えば、緩衝部３′は、所定方向が包装袋１Ａの長さ方向に沿った姿勢で設けられてもよい。
【００４０】
本変形例では、内フラップ５′と緩衝部３′をなす少なくとも一枚の内装材３０とが、単一の部材で形成されておらず、包装袋１Ａの製造過程で例えば接着剤や粘着剤により互いに貼り合わせられている。ここでは、緩衝部３′の第二貼付端部３４の内側に配置されて第二貼付端部３４に貼り付けられた内フラップ５′を例示する。このように、別体であって互いに連続していない。連続している別単一の部材で形成されていない。なお、本変形例の内フラップ５′も対向フラップ５Ｃである。
【００４１】
包装袋１Ａによれば、内装材３０が交差方向に予め伸長した状態で本体袋２に内装された緩衝部３′を備えるため、使用前後にかかわらずマット状をなす緩衝部３′により緩衝性を適切に確保できる。
また、緩衝部３′とは別の部材で形成された内フラップ５′によれば、内フラップ５′の配置の自由度を高められる。具体的には、内フラップ５′を緩衝部３′とは独立して配置できるため、内フラップ５′の所定方向を緩衝部３′の所定方向と異ならせたり、内フラップ５′を緩衝部３′から離して配置したりすることが容易となる。よって、様々な形態の内フラップ５′を設けることが容易となる。
そのほか、本変形例の包装袋１Ａによれば、上記の実施形態の包装袋１と同様の構成からは、同様の作用及び効果が得られる。
【００４２】
［３−２．第二変形例］
図７に示すように、第二変形例に係る包装袋１Ｂは、上記の第一変形例に係る包装袋１Ａに対し、緩衝部３′がその一部のみに多層部３Ａを有する点が異なる。より具体的に言えば、本変形例の緩衝部３′は、多層部３Ａの設けられた一部を除く他部に、物品と本体袋２との間で一枚の内装材３０が配置された単層部３Ｂを有する。ここでは、緩衝部３′の下半部（長さ方向の中間部よりも下側部分）に多層部３Ａが設定され、緩衝部３′の上半部（長さ方向の中間部よりも下側部分）に単層部３Ｂが設定された例を示す。
【００４３】
ただし、多層部３Ａ及び単層部３Ｂの配置の設定はこれに限定されない。多層部３Ａは、緩衝部３′において緩衝性が相対的に（他部よりも）求められる一部に設定されればよい。換言すれば、単層部３Ｂは、緩衝部３′において緩衝性が相対的に（一部よりも）求められない他部に設定されればよい。多層部３Ａ及び単層部３Ｂの配置は、例えば、包装袋１Ｂが包装する物品の形状や、包装袋１Ｂの形状や、輸送時の包装袋１Ｂの姿勢などを勘案して設定されてもよい。
【００４４】
包装袋１Ｂによれば、緩衝部３′のうち、多層部３Ａを有する一部においてピンポイントに緩衝性を高められるとともに、単層部３Ｂを有する他部において材料及び重量を抑制できる。このため、多層部３Ａで物品の保護性を高めつつも、単層部３Ｂで材料コストを抑制できるとともに軽量化を図れる。
また、下半部に多層部３Ａが設定された緩衝部３′によれば、例えば重力により緩衝部３′の下端部３８側へ引っ張られる物品の緩衝性を高められる。このため、開口９が上向きの姿勢の包装袋１Ｂにおいて、物品の保護性を良好に確保できる。
そのほか、本変形例の包装袋１Ｂによれば、上記の第一変形例の包装袋１Ａと同様の構成からは、同様の作用及び効果が得られる。
【００４５】
［３−３．第三変形例］
図８に示すように、第三変形例に係る包装袋１Ｃは、上記の実施形態に係る包装袋１に対し、複数の内フラップ５を備える点が異なる。ここでは、開口９の両側にそれぞれ配置された二つの内フラップ５を備えた包装袋１Ｃを例示する。
【００４６】
本変形例の内フラップ５はいずれも、緩衝部３と連設されている。ここでは、緩衝部３において厚み方向に重なる複数の内装材３０のうち最も外側に配置された内装材３０と二つの内フラップ５とが、単一の部材で形成された例を示す。各々の内フラップ５は、上記の実施形態と同様に、内装材５０が交差方向に伸長可能な状態で設けられたものである。
以下、二つの内フラップ５のうち、開口９の一側（図８では右側）に配置された一方を第一内フラップ５Ａともいい、開口９の他側（図８では左側）に配置された他方を第二内フラップ５Ｂともいう。
【００４７】
第一内フラップ５Ａは、緩衝部３の第一貼付端部３３から突設されており、外フラップ４の内側に重なっている。第一内フラップ５Ａは、第一内面部２１の上端縁部２３（第一端縁部及び第二端縁部の一方）に貼り付けられている。
一方、第二内フラップ５Ｂは、上記の実施形態で説明した対向フラップ５Ｃであり、緩衝部３の第二貼付端部３４から突設されている。第二内フラップ５Ｂは、第二内面部２２の上端縁部２４（第一端縁部及び第二端縁部の他方）に貼り付けられている。
【００４８】
内フラップ５はいずれも、包装袋１Ｃの封緘前に交差方向に伸長させられる。これによりシート状からマット状に変形した第一内フラップ５Ａは、緩衝部３の第一貼付端部３３から本体袋２の第二面部１２，２２側へと折り返される。同様に、シート状からマット状に変形した第二内フラップ５Ｂは、緩衝部３の第二貼付端部３４から本体袋２の第一面部１１，２１側へと折り返される。そして、第一内フラップ５Ａ及び第二内フラップ５Ｂは、物品の外側で互いに重ねられ、物品を上側（開口９側）から覆う。
【００４９】
包装袋１Ｃによれば、複数の内フラップ５が設けられるため、一つの内フラップ５が設けられる場合と比べて、物品８の開口９側における緩衝性を一層高められる。
また、第一内フラップ５Ａ及び第二内フラップ５Ｂが第一内面部２１の上端縁部２３と第二内面部２２の上端縁部２４とにそれぞれに貼り付けられるため、開口９の両側で互いに対向する二つの内フラップ５により、物品を開口９側から更に適切に覆うことができる。また、二つの内フラップ５が開口９に対して同一側に配置される場合と比べて、内フラップ５どうしが離間することで互いに干渉しにくくなる。これにより、各々の内フラップ５を物品８の開口９側に被せる作業が容易となるため、包装袋１Ｃの封緘作業性を高められる。
そのほか、本変形例の包装袋１Ｃによれば、上記の第一変形例の包装袋１Ａと同様の構成からは、同様の作用及び効果が得られる。
【００５０】
［３−４．第四変形例］
図９に示すように、第四変形例に係る包装袋１Ｄは、上記の第三変形例に係る包装袋１Ｃに対し、第二内フラップ５Ｂが第一内フラップ５Ａに貼り付けられた点が異なる。すなわち、本変形例の包装袋１Ｄでは、二つの内フラップ５が開口９に対して同一側に配置され、互いに重ね合わされている。
【００５１】
包装袋１Ｄによれば、第一内フラップ５Ａ及び第二内フラップ５Ｂを一体的に（一動作で）緩衝部３の第一貼付端部３３から本体袋２の第二面部１２，２２側へと折り返せることから、封緘作業性を高められる。また、複数の内フラップ５を開口９の一側のみに配置することで、物品の保護性を高めつつも、開口９に対する物品の挿抜作業性を高められる。よって、包装袋１Ｄの信頼性と使用性とを共に高められる。
そのほか、本変形例の包装袋１Ｄによれば、上記の第三変形例の包装袋１Ｃと同様の構成からは、同様の作用及び効果が得られる。
【００５２】
［３−５．その他］
内装材３０，５０において切れ込み部３１，５１の延在する所定方向は、包装袋の幅方向に限定されない。例えば、内装材３０，５０は、所定方向が包装袋の長さ方向に沿う姿勢で設けられてもよい。
【００５３】
また、緩衝部３，３′の多層部３Ａで重ねられた複数枚の内装材３０は、所定方向が互いに異なる向きに設定されてもよい。例えば図１０に示すように、多層部３Ａで重ねられる二枚の内装材３０は、所定方向が包装袋の幅方向に対して傾斜するとともに、その傾斜方向が互いに反対となる（幅方向に対する傾斜角度の正負が反対となる）ように設けられてもよい。
【００５４】
所定方向が互いに異なる向きに設定された複数枚の内装材３０で構成される多層部３Ａも、所定方向が包装袋の長さ方向に交差していれば、長さ方向に伸長可能である。したがって、このような多層部３Ａを有する緩衝部も、上記の実施形態と同様に懸架された場合には、開口９から包装袋に入れられた物品の重量によって長さ方向に伸長可能である。
【００５５】
内装材３０の所定方向が互いに異なる向きに設定された多層部３Ａでは、各々の内装材３０が伸長した場合に切れ込み部３１の周囲が様々な方向に立ち上がるため、厚みをより適切に確保できる。これにより緩衝性が高まるため、包装袋の信頼性を更に高められる。
なお、多層部３Ａでは、三枚以上の内装材３０が厚み方向に重ねられてもよい。内フラップ５についても緩衝部３と同様であり、内フラップ５は交差方向に予め伸長した状態で設けられてもよいし、複数の内フラップ５で所定方向が互いに異なる向きに設定されてもよいし、三つ以上の内フラップ５が包装袋に設けられてもよい。
【００５６】
内袋２０に対する緩衝部３の取付手法は、接着剤や粘着剤を用いた貼付に限定されない。また、外袋１０及び内装材３に対する内袋２０の各貼付位置も上記の位置に限定されない。内袋２０は、厚み方向視において、外袋１０に対する貼付位置と緩衝部３に対する貼付位置とが重なっていてもよい。
内袋２０は、外袋１０に固定されていなくてもよい。換言すれば、内袋２０は、外袋１０から離脱自在に設けられてもよい。内袋２０が外袋１０に固定されていない場合には、外袋１０と内袋２０との間で力の伝達が抑制されるとともに応力集中が生じにくくなるため、内袋２０と緩衝部３との取付部分に応力集中が生じたとしても、外袋１０の破損をより確実に抑えられる。よって、包装袋の信頼性を更に高められる。
【００５７】
なお、図示は省略するが、本体袋２は、第一面部１１，２１の上端縁部１３，２３の少なくとも一方と、第二面部１２，２２の上端縁部１４，２４の少なくとも一方とに持ち手を設けて、手提げ紙袋とすることもできる。
外袋１０、内袋２０及び緩衝部３（内装材３０）に関し、上記の実施形態で挙げた貼付力の関係は一例である。
本体袋２は一重構造であってもよい。また、外フラップ４及び内フラップ５は、一方又は両方が省略されてもよい。
【符号の説明】
【００５８】
１，１Ａ，１Ｂ，１Ｃ，１Ｄ  包装袋
２      本体袋（外装体）
３，３′  緩衝部
３Ａ    多層部
３Ｂ    単層部
４      外フラップ
５，５′  内フラップ
５Ａ    第一内フラップ
５Ｂ    第二内フラップ
５Ｃ    対向フラップ
８      物品
９      開口
１０    外袋（外側材）
１１    第一外面部
１２    第二外面部
１３    上端縁部
１４    上端縁部
１５    下端部
１６    幅方向の端部
２０    内袋（内側材）
２１    第一内面部（第一面部）
２２    第二内面部（第二面部）
２３    上端縁部（第一端縁部）
２４    上端縁部（第二端縁部）
３０    内装材（第一内装材）
３１，３１′  切れ込み部（第一切れ込み部）
３２，３２′  非切れ込み部
３３    第一貼付端部
３４    第二貼付端部
３５    本体部
３６    片部
３７    緩衝セル
３８    下端部
５０    内装材（第二内装材）
５１    切れ込み部（第二切れ込み部）
Ｌ１    切れ込み部の寸法
Ｌ２    非切れ込み部の寸法
Ｐ１    第一パターン
Ｐ２    第二パターン
【図１】
2022002968.tif 000003
【図２】
2022002968.tif 000004
【図３】
2022002968.tif 000005
【図４】
2022002968.tif 000006
【図５】
2022002968.tif 000007
【図６】
2022002968.tif 000008
【図７】
2022002968.tif 000009
【図８】
2022002968.tif 000010
【図９】
2022002968.tif 000011
【図１０】
2022002968.tif 000012